(57)【特許請求の範囲】
【請求項１】
上部フレームと、底部と、上部フレームの相対する短辺部にその上端部が枢支されたはね上げ側壁と、互いにヒンジ連結された上部分割側壁と下部分割側壁とを有する分割側壁とからなり、上部分割側壁の上端部が、上部フレームの相対する長辺部にヒンジ連結されているとともに、下部分割側壁の下端部が、底部にヒンジ連結されている折り畳みコンテナーにおいて、上部フレームの長辺部を構成する内側垂直部には、板状或いはブロック状のヒンジ部解除防止部材が垂設されているとともに、上部分割側壁の内側垂直部には、底部と相対する側壁と天部とにより囲まれた透孔が形成されており、該透孔を構成する天部が、ヒンジ部解除防止部材に対応して形成されている衝合部材として機能するように構成されており、分割側壁を構成する上部分割側壁が，折り畳みコンテナーの内部方向に湾曲した際には，上部分割側壁に形成された衝合部材を構成する天部が，上部フレームの内側垂直部に垂設されたヒンジ部解除防止部材に当接し、上部分割側壁のそれ以上の折り畳みコンテナーの内部方向への湾曲を防止するように構成されていることを特徴とする折り畳みコンテナー。
【発明の詳細な説明】
【０００１】
【発明の属する技術分野】
本発明は、種々の物品の保管、輸送或いは搬送等に使用される折り畳みコンテナーに関するものである。
【０００２】
【従来の技術】
従来、額縁状の上部フレームと底部との間に配設される  相対する長側壁と相対する短側壁とからなる４枚の側壁のうち、相対する長側壁を上下に分割し、分割した側壁をヒンジで連結して折り畳み可能に構成し、また、相対する短側壁の上端部を上部フレームに枢着し、上方に回動可能に構成された折り畳みコンテナーが知られており、箱型に組み立てられた折り畳みコンテナーは、上部フレームにその上端部が枢着された短側壁を、略垂直状態から、折り畳みコンテナーの内部方向に，略水平状態まで回動させ、次いで、上下に分割された長側壁を、ヒンジ部分で折り畳むことにより、箱型に組み立てられた折り畳みコンテナーを、高さの低いコンパクトな状態に折り畳むことができるように構成されている。
【０００３】
【発明が解決しようとする課題】
上述した従来の折り畳みコンテナーにおいては、上下に分割された長側壁のうち，上方に位置する側壁は，上部フレームの長辺部にヒンジ連結されているが，分割された側壁は，横方向に細長いので，折り畳み作業の際や箱型に組み立てられた状態において、その中央部付近に，外側から外力が加わった場合には，分割された側壁が湾曲して，上部フレームの長辺部とのヒンジ連結が外れるという問題があった。
【０００４】
本発明の目的は、上述した従来の折り畳みコンテナーが有する課題を解決することにある。
【０００５】
【課題を解決するための手段】
本発明は、上述した目的を達成するために、上部フレームと、底部と、上部フレームの相対する短辺部にその上端部が枢支されたはね上げ側壁と、互いにヒンジ連結された上部分割側壁と下部分割側壁とを有する分割側壁とからなり、上部分割側壁の上端部が、上部フレームの相対する長辺部にヒンジ連結されているとともに、下部分割側壁の下端部が、底部にヒンジ連結されている折り畳みコンテナーにおいて、上部フレームの長辺部を構成する内側垂直部には、板状或いはブロック状のヒンジ部解除防止部材が垂設されているとともに、上部分割側壁の内側垂直部には、底部と相対する側壁と天部とにより囲まれた透孔が形成されており、該透孔を構成する天部が、ヒンジ部解除防止部材に対応して形成されている衝合部材として機能するように構成されており、分割側壁を構成する上部分割側壁が，折り畳みコンテナーの内部方向に湾曲した際には，上部分割側壁に形成された衝合部材を構成する天部が，上部フレームの内側垂直部に垂設されたヒンジ部解除防止部材に当接し、上部分割側壁のそれ以上の折り畳みコンテナーの内部方向への湾曲を防止するように構成したものである。
【０００６】
【実施例】
以下に、本発明の実施例について説明するが、本発明の趣旨を越えない限り何ら、本実施例に限定されるものではない。
【０００７】
折り畳みコンテナーは、上部フレーム１と底部２とを有しており，上部フレーム１の短辺部１ａには，その上端部がヒンジ連結された、折り畳みコンテナーの内側方向に回動可能な側壁（以下、この側壁を，はね上げ側壁という。）３が配設されている。また，上部フレーム１の長辺部１ｂには，上下に分割されているとともに、適当なヒンジ４ａを介して連結された側壁（以下、この側壁を，分割側壁という。）４が配設されており，分割側壁４は、ヒンジ４ａを挟んで上方に位置する上部分割側壁４’と、ヒンジ４ａを挟んで下方に位置する下部分割側壁４”とから構成されており、上部分割側壁４’の上端部は、上部フレーム１にヒンジ連結され、また、下部分割側壁４”の下端部は、底部２にヒンジ連結されている。
【０００８】
図１に示されているように，箱型に組み立てられた折り畳みコンテナーの略垂直状のはね上げ側壁３を、図２に示されているように、折り畳みコンテナーの内部方向に回動させて、略水平状態とし、次いで、分割側壁４を構成する上部分割側壁４’と下部分割側壁４”を連結しているヒンジ４ａを、折り畳みコンテナーの内部方向に移動させて、上部分割側壁４’と下部分割側壁４”とを重ねることにより、箱型状態の折り畳みコンテナーを、図３に示されているように、高さの低いコンパクトな状態に折り畳むことができるように構成されている。
【０００９】
次に、図１及び図４〜図６を用いて、上部フレーム１の長辺部１ｂと，分割側壁４を構成する上部分割側壁４’とのヒンジ部のヒンジ部解除防止手段について説明する。
【００１０】
上部フレーム１は、水平部１ｃと、水平部１ｃの両縁から、それぞれ下方に延在する内側垂直部１ｄと外側垂直部１ｅとから構成されており、長手方向に垂直な断面形状が、略逆Ｕ字状に形成されている。また，外側垂直部１ｅの下端１ｅ１は，内側垂直部１ｄの下端１ｄ１より，下方に延在するように構成されている。
【００１１】
上部分割側壁４’の上部水平フランジ４ｂの内側端からは，上部分割側壁４’の板部４ｄを上方に延長することにより形成された垂直部４ｅ１が立設されており，また，垂直部４ｅ１の上端からは，上部フレーム１の外側垂直部１ｅ方向に円弧状に湾曲した湾曲部４ｅ２が延設されており，垂直部４ｅ１と湾曲部４ｅ２とにより，上部壁４ｅが構成されている。上部壁４ｅには，底部４ｆ１と相対する側壁４ｆ２とから形成される切り欠き凹部４ｆが，適当な間隔で，所定数，形成されている。なお、本実施例には、上部分割側壁４’に形成された上部壁４ｅに、切り欠き凹部４ｆが、２個形成されている例が示されている。
【００１２】
上述した切り欠き凹部４ｆを構成する一方の側壁４ｆ２には，該側壁４ｆ２に垂直なヒンジピンｈ１が突設されている。１ｆは，上部フレーム１を構成する水平部１ｃと内側垂直部１ｄと外側垂直部１ｅにより形成される空間部に形成された，内側垂直部１ｄ及び外側垂直部１ｅに対して垂直な架橋壁であり，架橋壁１ｆは，内側垂直部１ｄの下端１ｄ１を超えて，外側垂直部１ｅの下端１ｅ１付近まで延在している。切り欠き凹部４ｆを構成する一方の側壁４ｆ２に突設されたヒンジピンｈ１側に位置する架橋壁１ｆの下端側壁面には，水平部ｈ２ａと，内側垂直部１ｄ側に位置する端部が，上方に湾曲した湾曲部ｈ２ｂとから形成されたヒンジピン受け部ｈ２が形成されている。上記のヒンジピン受け部ｈ２が形成されている架橋壁１ｆは，切り欠き凹部４ｆを構成する側壁４ｆ２に突設されたヒンジピンｈ１に対応して，複数，形成されている。
【００１３】
上部フレーム１の内側垂直部１ｄの下端１ｄ１と，架橋壁１ｆに形成されたヒンジピン受け部ｈ２の湾曲部ｈ２ｂの先端ｈ２ｂ’との間の間隙ｄ１から，上部分割側壁４’の上述した切り欠き凹部４ｆを構成する側壁４ｆ２に突設されたヒンジピンｈ１を挿通するとともに，ヒンジピンｈ１を，図４及び図５に示されているように、上部フレーム１に形成されたヒンジピン受け部ｈ２に載置することにより，上部フレーム１と上部分割側壁４’とをヒンジ連結するヒンジ部Ｈが構成されている。
【００１４】
５は，上部フレーム１の内側垂直部１ｄの下端１ｄ１から垂設された板状或いはブロック状のヒンジ部解除防止部材であり，ヒンジ部解除防止部材５は，本実施例のように，上部フレーム１の内側垂直部１ｄの下端１ｄ１の中央部に１個のみ形成することも，また，内側垂直部１ｄの下端１ｄ１に，複数個，形成することもできる。
【００１５】
６は、上部分割側壁４’の上部壁４ｅの中程に穿設された透孔であり、透孔６は、底部６ａと、上部分割側壁４’の板板４ｄに対して垂直な相対する側壁６ｂと、天部６ｃとにより囲まれており、天部６ｃは、上述した上部フレーム１の内側垂直部１ｄの下端１ｄ１から垂設されたヒンジ部解除防止部材５に対応して配置されており、後述するように、ヒンジ部解除防止部材５が当接する衝合部材として機能するように構成されている。
【００１６】
図１に示されているように、箱型に組みたてられた折り畳みコンテナーを，図３に示されているように、折り畳む場合には，上述したように，先ず最初に，略垂直状のはね上げ側壁３を、図２に示されているように、折り畳みコンテナーの内部方向に回動させて、略水平状態とし、次いで、分割側壁４を構成する上部分割側壁４’と下部分割側壁４”を連結しているヒンジ４ａ付近を押して，折り畳みコンテナーの内部方向に移動させて、上部分割側壁４’と下部分割側壁４”とを重ねるが，この際，長側壁を構成する分割側壁４を構成する上部分割側壁４’と下部分割側壁４”とは，横方向に細長いので，ヒンジ４ａ付近で，その中央部付近に，外側から外力が加わった場合には，上部分割側壁４’と下部分割側壁４”とは，折り畳みコンテナーの内部方向に湾曲することになる。
【００１７】
上述したように，上部分割側壁４’と下部分割側壁４”とが，湾曲した場合には，特に，上部分割側壁４’に形成されたヒンジピンｈ１が，上部フレーム１に形成されたヒンジピン受け部ｈ２に載置されてヒンジ部Ｈが構成されている上部分割側壁４’と上部フレーム１との場合には，上部分割側壁４’に形成されたヒンジピンｈ１が，上部フレーム１に形成されたヒンジピン受け部ｈ２から外れるという問題があるが，本実施例の場合には，上部分割側壁４’が，折り畳みコンテナーの内部方向に湾曲しても，上部分割側壁４’に形成されている衝合部材としての天部６ｃが，上部フレーム１の内側垂直部１ｄの下端１ｄ１に垂設されたヒンジ部解除防止部材５に当接し，それ以上の折り畳みコンテナーの内部方向への湾曲が防止されるので，上部分割側壁４’に形成されたヒンジピンｈ１が，上部フレーム１に形成されたヒンジピン受け部ｈ２から外れるようなことが防止できる。
【００１８】
また、折り畳みコンテナーが箱型に組み立てられた状態においても、分割側壁４を構成する上部分割側壁４’に外力が加わり、上部分割側壁４’が折り畳みコンテナーの内部方向に湾曲した場合には，上部分割側壁４’に形成された衝合部材としての天部６ｃが，上部フレーム１に形成されたヒンジ部解除防止部材５に当接し，それ以上の折り畳みコンテナーの内部方向への湾曲が防止されるので、上部分割側壁４’と上部フレーム１とのヒンジ部Ｈが解除されるようなことがない。
【００１９】
上述したように，分割側壁４を構成する上部分割側壁４’が，折り畳みコンテナーの内部方向に湾曲した際に，上部分割側壁４’に形成されている衝合部材としての天部６ｃが，上部フレーム１の内側垂直部１ｄの下端１ｄ１に垂設されたヒンジ部解除防止部材５に当接し，それ以上の折り畳みコンテナーの内部方向への湾曲を防止するように構成したので，上部分割側壁４’と上部フレーム１とのヒンジ部Ｈが解除されるようなことが防止できる。
【００２０】
また、上述したように、上部分割側壁４’の切り欠き凹部４ｆを構成する側壁４ｆ２に突設されたヒンジピンｈ１と，上部フレーム１に形成された、ヒンジピンｈ１が載置されるヒンジピン受け部ｈ２とから構成されるヒンジ部Ｈは、上部分割側壁４’の中央部を挟んで、２個形成されている。そして、ヒンジ部Ｈを構成するヒンジピン受け部ｈ２は、分割側壁４’の中央部側に位置し、また、ヒンジ部Ｈを構成するヒンジピンｈ１は、ヒンジピン受け部ｈ２に対して、分割側壁４’の両端部側に位置するように配置されている。従って、分割側壁４’に外力が加わり、分割側壁４’の中央部が下方に湾曲変形しても、ヒンジピンｈ１は、ヒンジピン受け部ｈ２方向に移動するので、ヒンジピンｈ１が、ヒンジピン受け部ｈ２から外れるようなことが防止できる。
【００２１】
また、上述したように、上部フレーム１の内側垂直部１ｄの下端１ｄ１と，架橋壁１ｆに形成されたヒンジピン受け部ｈ２の湾曲部ｈ２ｂの先端ｈ２ｂ’との間の間隙ｄ１から，上部分割側壁４’の上述した切り欠き凹部４ｆを構成する側壁４ｆ２に突設されたヒンジピンｈ１を挿通するとともに，ヒンジピンｈ１を，上部フレーム１に形成されたヒンジピン受け部ｈ２に載置することにより，上部フレーム１と上部分割側壁４’とをヒンジ連結することになるが、このヒンジ連結作業は、図７において、実線で示されているように、上部分割側壁４’を略水平状態にし、次いで、上部分割側壁４’が略水平状態のまま、上部フレーム１の内側垂直部１ｄの下端１ｄ１と，架橋壁１ｆに形成されたヒンジピン受け部ｈ２の湾曲部ｈ２ｂの先端ｈ２ｂ’との間の間隙ｄ１に、上部分割側壁４’に形成されているヒンジピンｈ１を挿入するとともに、ヒンジピンｈ１を、上部フレーム１に形成されたヒンジピン受け部ｈ２の上方に配置する。その後、図７において、二点鎖線で示されているように、上部分割側壁４’を略水平状態から略垂直に回動させて、上部分割側壁４’に形成されているヒンジピンｈ１を、上部フレーム１に形成されたヒンジピン受け部ｈ２に載置して、ヒンジ連結作業が終了する。
【００２２】
上述したヒンジ連結作業を容易にするために、図７に示されている実施例においては、上部分割側壁４’が略水平状態において、上部分割側壁４’に配設されたヒンジピン受け部ｈ２の湾曲部ｈ２ｂの先端ｈ２ｂ’に形成された傾斜面ｈ２ｃに対向して、該傾斜面ｈ２ｃに当接する傾斜面ｈ１ａが、上部分割側壁４’に配設されたヒンジピンｈ１に形成されている。このように構成することにより、上部分割側壁４’に配設されたヒンジピンｈ１を、上部フレーム１の内側垂直部１ｄの下端１ｄ１と架橋壁１ｆに形成されたヒンジピン受け部ｈ２の湾曲部ｈ２ｂの先端ｈ２ｂ’との間に形成された間隙ｄ１へ挿入する挿入作業が容易になる。また、上部分割側壁４’を略水平状態から略垂直に回動させた際には、上部分割側壁４’に配設されたヒンジピンｈ１に形成された傾斜面ｈ１ａは、上記間隙ｄ１の反対側に位置することになるので、ヒンジピンｈ１が、間隙ｄ１から抜け出るようなことが防止できる。このように、上部分割側壁４’に配設されたヒンジピン受け部ｈ２の湾曲部ｈ２ｂの先端ｈ２ｂ’に形成された傾斜面ｈ２ｃに対向して、上部分割側壁４’に配設されたヒンジピンｈ１に傾斜面ｈ１ａを形成したので、ヒンジ連結作業が容易になるとともに、ヒンジ連結された後は、ヒンジ連結が解除されるようなことを防止することができる。
【００２３】
【発明の効果】
本発明は、以上説明したように構成されているので、以下に記載されるような効果を奏する。
【００２４】
分割側壁を構成する上部分割側壁が，折り畳みコンテナーの内部方向に湾曲した際に，上部分割側壁に形成されている衝合部材が，上部フレームの内側垂直部に垂設されたヒンジ部解除防止部材に当接し，それ以上の折り畳みコンテナーの内部方向への湾曲を防止するように構成したので，上部分割側壁と上部フレームとのヒンジ部が解除されるようなことが防止できる。
【図面の簡単な説明】
【図１】図１は箱型に組み立てられた状態の本発明の折り畳みコンテナーの斜視図である。
【図２】図２は本発明の折り畳みコンテナーの折り畳み途中の斜視図である。
【図３】図３は本発明の折り畳みコンテナーが折り畳まれた状態の斜視図である。
【図４】図４は本発明の折り畳みコンテナーの上部フレームと分割側壁を構成する上部分割側壁とがヒンジ連結された状態の部分斜視図である。
【図５】図５は本発明の折り畳みコンテナーの上部フレームと分割側壁を構成する上部分割側壁とがヒンジ連結された状態の部分垂直断面図である。
【図６】図６は本発明の折り畳みコンテナーの分割側壁を構成する上部分割側壁の部分斜視図である。
【図７】図７は本発明の別の実施例の折り畳みコンテナーを説明するための図５と同様の部分垂直断面図である。
【符号の説明】
１・・・・・・・・上部フレーム
２・・・・・・・・底部
３・・・・・・・・はね上げ側壁
４・・・・・・・・分割側壁
５・・・・・・・・ヒンジ部解除防止部材
６・・・・・・・・衝合部材
【図１】
0003929737.tif 000002
【図２】
0003929737.tif 000003
【図３】
0003929737.tif 000004
【図４】
0003929737.tif 000005
【図５】
0003929737.tif 000006
【図６】
0003929737.tif 000007
【図７】
0003929737.tif 000008